(57)【要約】【課題】音声通話時及びデータ通信時の両方の通信モードでアンテナ放射特性を有効に使用する。【解決手段】押下された操作ボタンの種類によって通信モードが音声通話かデータ通信かを判別する通信モード判別ステップと、通信モードが、データ通信であればデータ経路をデータ通信時の経路とするように指令するデータ通信指令ステップと、複数台のアンテナ２、３のうちでデータ通信に適するアンテナ２を選択するデータ通信用アンテナ選択ステップと、通信モードが、音声通話であればデータ経路を音声通話時の経路とするように指令する音声通話指令ステップと、複数台のアンテナ２、３のうちで音声通話に適するアンテナ３を選択する音声通話用アンテナ選択ステップと、を備える。【選択図】      図１
2004241887.tif 000002
【特許請求の範囲】
【請求項１】
通信モードがデータ通信か音声通話かを判別する通信モード判別手段と、
前記通信モード判別手段による判別結果に基づいて、筐体に配置されているアンテナを選択するアンテナ選択手段と、
を備えることを特徴とする携帯電話機。
【請求項２】
複数台のアンテナを配置している携帯電話機の送信アンテナの選択方法であって、
押下された操作ボタンの種類によって通信モードが音声通話かデータ通信かを判別する通信モード判別ステップと、
前記通信モードが、データ通信であればデータ経路をデータ通信時の経路とするように指令するデータ通信指令ステップと、
前記複数台のアンテナのうちで前記データ通信に適するアンテナを選択するデータ通信用アンテナ選択ステップと、
前記通信モードが、音声通話であればデータ経路を音声通話時の経路とするように指令する音声通話指令ステップと、
前記複数台のアンテナのうちで前記音声通話に適するアンテナを選択する音声通話用アンテナ選択ステップと、
を備えることを特徴とする携帯電話機の送信アンテナの選択方法。
【請求項３】
配置特性の異なる複数種類のアンテナを配置している携帯電話機における送信アンテナの選択方法であって、
通信モードにおける前記複数種類のアンテナからのそれぞれの受信レベルを測定し、
測定された前記受信レベルを比較し、
前記複数種類のアンテナのうちから前記受信レベルの大きいアンテナを送信アンテナとすることを特徴とする携帯電話機の送信アンテナの選択方法。
【請求項４】
前記複数種類のアンテナが、
突き出しアンテナ、低姿勢アンテナ及び平面アンテナのうち少なくとも２種類を含むことを特徴とする請求項３に記載の携帯電話機の送信アンテナの選択方法。
【請求項５】
筐体に配置されて異なる放射特性を示す複数台のアンテナを有する携帯電話機の送信アンテナの選択方法であって、
通信モードにおける前記複数台のアンテナからのそれぞれの受信レベルを測定し、
測定された前記受信レベルを比較し、
前記複数台のアンテナのうちから前記受信レベルの大きいアンテナを送信アンテナとすることを特徴とする携帯電話機の送信アンテナの選択方法。
【請求項６】
前記複数台のアンテナが、
突き出しアンテナ、低姿勢アンテナ及び平面アンテナのうち少なくとも１種類を含むことを特徴とする請求項５に記載の携帯電話機の送信アンテナの選択方法。
【請求項７】
複数台のアンテナと、前記複数台のアンテナを切替えるアンテナスイッチとを含む携帯電話機の送信アンテナの選択方法であって、
通信モードにおける前記複数台のアンテナを、前記アンテナスイッチを切替えることによって順次送受信共用状態にし、
前記複数台のアンテナからのそれぞれの反射レベルを測定し、
前記複数台のアンテナのうちで前記反射レベルが小さいアンテナを送信アンテナとして選択することを特徴とする携帯電話機の送信アンテナの選択方法。
【請求項８】
複数台のアンテナを配置し、データ通信機器を接続してデータ通信を行う携帯電話機の送信アンテナの選択方法であって、
前記データ通信機器の有無を判別し、
前記データ通信機器が無い場合及び前記データ通信機器が有る場合で通信モードが音声通話モードの場合には、音声通話入出力経路を設定し、
前記複数台のアンテナのうちから前記音声通話モードに適するアンテナを選択し、
前記データ通信機器が有る場合で前記通信モードがデータ通信モードの場合には、データ通信入出力経路を設定し、
前記複数台のアンテナのうちから前記データ通信モードに適するアンテナを選択することを特徴とする携帯電話機の送信アンテナの選択方法。
【発明の詳細な説明】
【０００１】
【発明の属する技術分野】
本発明は、携帯電話機に関し、特に通信モードによって送信アンテナを選択する携帯電話機、その送信アンテナの選択方法に関する。
【０００２】
【従来の技術】
最近の携帯電話機の使用方法は、電話機としての使用よりもメール等のデータ通信機としての使用の方が多くなってきている。また、電話として使用する音声通話の場合は受話部を耳にあてる状態で使用するのに対して、データ通信で使用する場合では受話部は操作者から遠ざかった状態で使用される。また、電磁波の操作者に対する悪影響も危惧されているなかではアンテナは操作者から離れている方が良く、受話部側よりも送話部側にあるほうが良いと考えられる。このため、データ通信時は受話部付近にアンテナが配置されている方が操作者の影響を受けにくくアンテナ性能を有効に使用できることになる。
【０００３】
このような問題を解決するため、特開平１１−１７７４８５号公報では通話中であるか否かを判断して、２台のアンテナのうちの一方のアンテナからの信号に基づいて受信信号を生成する技術が開示されている。
【０００４】
【特許文献１】
特開平１１−１７７４８５号公報（特許請求の範囲、図２）
【０００５】
【発明が解決しようとする課題】
しかしながら、これまでの技術では、音声通話時及びデータ通信時の両方の通信モードでアンテナ放射特性を有効に使用できるようにするために、通信モードによって使用するアンテナを切替えられるようにすることはしていなかった。本発明は、このような問題を解決するためになされたものであり、通信モードの種類によって、送信アンテナを選択して放射特性の良い状態で使用できる携帯電話機、その送信アンテナの選択方法を提供することを目的とする。
【０００６】
【課題を解決するための手段】
本発明の携帯電話機は、通信モードがデータ通信か音声通話かを判別する通信モード判別手段と、前記通信モード判別手段による判別結果に基づいて、筐体に配置されているアンテナを選択するアンテナ選択手段と、を備えることを特徴とする。
【０００７】
本発明の携帯電話機の送信アンテナの選択方法は、複数台のアンテナを配置している携帯電話機の送信アンテナの選択方法であって、押下された操作ボタンの種類によって通信モードが音声通話かデータ通信かを判別する通信モード判別ステップと、前記通信モードが、データ通信であればデータ経路をデータ通信時の経路とするように指令するデータ通信指令ステップと、前記複数台のアンテナのうちで前記データ通信に適するアンテナを選択するデータ通信用アンテナ選択ステップと、前記通信モードが、音声通話であればデータ経路を音声通話時の経路とするように指令する音声通話指令ステップと、前記複数台のアンテナのうちで前記音声通話に適するアンテナを選択する音声通話用アンテナ選択ステップと、を備えることを特徴とする。
【０００８】
本発明の携帯電話機の送信アンテナの選択方法は、配置特性の異なる複数種類のアンテナを配置している携帯電話機における送信アンテナの選択方法であって、通信モードにおける前記複数種類のアンテナからのそれぞれの受信レベルを測定し、測定された前記受信レベルを比較し、前記複数種類のアンテナのうちから前記受信レベルの大きいアンテナを送信アンテナとすることを特徴とする。
【０００９】
本発明の携帯電話機の送信アンテナの選択方法は、前記複数種類のアンテナが、突き出しアンテナ、低姿勢アンテナ及び平面アンテナのうち少なくとも２種類を含むことを特徴とする。
【００１０】
本発明の携帯電話機の送信アンテナの選択方法は、筐体に配置されて異なる放射特性を示す複数台のアンテナを有する携帯電話機の送信アンテナの選択方法であって、通信モードにおける前記複数台のアンテナからのそれぞれの受信レベルを測定し、測定された前記受信レベルを比較し、前記複数台のアンテナのうちから前記受信レベルの大きいアンテナを送信アンテナとすることを特徴とする。
【００１１】
本発明の携帯電話機の送信アンテナの選択方法は、前記複数台のアンテナが、突き出しアンテナ、低姿勢アンテナ及び平面アンテナのうち少なくとも１種類を含むことを特徴とする。
【００１２】
本発明の携帯電話機の送信アンテナの選択方法は、複数台のアンテナと、前記複数台のアンテナを切替えるアンテナスイッチとを含む携帯電話機の送信アンテナの選択方法であって、通信モードにおける前記複数台のアンテナを、前記アンテナスイッチを切替えることによって順次送受信共用状態にし、前記複数台のアンテナからのそれぞれの反射レベルを測定し、前記複数台のアンテナのうちで前記反射レベルが小さいアンテナを送信アンテナとして選択することを特徴とする。
【００１３】
本発明の携帯電話機の送信アンテナの選択方法は、複数台のアンテナを配置し、データ通信機器を接続してデータ通信を行う携帯電話機の送信アンテナの選択方法であって、前記データ通信機器の有無を判別し、前記データ通信機器が無い場合及び前記データ通信機器が有る場合で通信モードが音声通話モードの場合には、音声通話入出力経路を設定し、前記複数台のアンテナのうちから前記音声通話モードに適するアンテナを選択し、前記データ通信機器が有る場合で前記通信モードがデータ通信モードの場合には、データ通信入出力経路を設定し、前記複数台のアンテナのうちから前記データ通信モードに適するアンテナを選択することを特徴とする。
【００１４】
【発明の実施の形態】
＜第１の実施形態＞図１は、本発明の携帯電話機の外観図である。本発明の携帯電話機１のアンテナは、図１のように携帯電話機１の筐体上部１ａにアンテナ２、スピーカ１４、筐体下部１ｂにアンテナ３、操作部１１、マイク１３が配置されている。
【００１５】
次に、本発明の構成を図２に示すブロック図を参照して説明する。本発明の携帯電話機１は、少なくともアンテナ２、３、アンテナスイッチ４、５、送信部６、受信部７、変調部８、復調部９、制御部１０、操作部１１、信号処理部１２、マイク１３、スピーカ１４、通信処理部１５を含んで構成される。アンテナ２とアンテナスイッチ４、５との分岐点及びアンテナ３とアンテナスイッチ４、５との分岐点には、サーキュレータなどの送受信共用器が配置されるものとする。
【００１６】
まず、送信動作を説明する。マイク１３または通信処理部１５から信号処理部１２へ送信信号が送出される。信号処理部１２では音声通話時であればマイク１３からの送信信号、データ通信時であれば通信処理部１５からの送信信号を選択して変調部８に送信信号を送出する（通信モードを判別することができる）。変調部８では、送信信号に変調を行い、送信部６に供給する。送信部６では変調された送信信号をアンテナスイッチ４を介してアンテナ２（端子ａに接続）またはアンテナ３（端子ｂに接続）に供給し、アンテナ２およびアンテナ３は供給された送信信号を空中に放射する。アンテナスイッチ４は、制御部１０からの指令により、アンテナ２またはアンテナ３を選択して送信部６からの送信信号を供給する。
【００１７】
次に、受信動作を説明する。アンテナ２またはアンテナ３は、受信した電磁波を電気信号に変換する。電気信号に変換された受信信号はアンテナスイッチ５（端子ｄに接続するとアンテナ２、端子ｃに接続するとアンテナ３）を経て受信部７に供給され、受信部７は受信信号を復調部９に供給する。復調部９では受信信号を復調し、それにより得られた制御データ、音声データを、信号処理部１２に供給する。信号処理部１２では受信信号をスピーカ１４または通信処理部１５に渡す。制御部１０では、アンテナ２、３での過去の受信状況（切替えによる影響が少ない時点でアンテナを切替えるために、アンテナ選択を決定する以前の受信状況を記憶しておく）から現在選択するアンテナを決定し、アンテナスイッチ５に指令を行う。アンテナスイッチ５は、制御部１０からの指令によってアンテナ２またはアンテナ３を選択する。
【００１８】
従って、送信アンテナと受信アンテナとは別々のアンテナが選択されることもあり得る。なお、制御部１０は、例えばマイクロコンピュータ等の情報処理装置であり、制御部１０に備えられる記憶部が記憶するプログラムに従って動作するもので、図３、５、６に示すフローチャートをプログラム化した動作を実行させる。
【００１９】
次に、上記の構成での本発明の動作を図３に示すフローチャートを用いて説明する。
【００２０】
操作部１１から通信開始の操作が行われ、制御部１０に対して通信開始要求を送出する（ステップＳ３０１）。制御部１０にて、通信要求（通信モード）が音声通話かデータ通信かを判別する（ステップＳ３０２）。音声通話かデータ通信かは、例えば、操作部１１における操作ボタンのうち、押下された操作ボタンの種類（例えば、発呼ボタンの押下で音声通話を判別する）や操作ボタンの操作順序で制御部１０が判別する。
【００２１】
通信要求が、データ通信であった場合（ステップＳ３０２のＹ）、通信処理部１５に対して通信開始を指令し（ステップＳ３０７）、信号処理部１２に対して入出力経路を通信処理部１５側（データ通信時の経路）とするように指令する（ステップＳ３０８）。また、送信部６、受信部７、変調部８、復調部９に対して通信動作の起動制御を行う（ステップＳ３０９、３１０）。これにより、通信処理部１５で生成される非音声通話の送信信号が送信部６から出力されるようになる。次に、アンテナスイッチ４に対してデータ通信モードに適するアンテナ２を選択するように指令する（ステップＳ３１１）。これにより、送信部６から出力される送信信号はアンテナスイッチ４を経てアンテナ２に供給されることになり、送信信号がアンテナ２から空中に放射される（データ通信用アンテナ選択ステップ）。データ通信の場合は、操作者によって筐体下部１ｂに配置されているアンテナ３付近の操作部１１が握られるので、操作者の手から離れている筐体上部１ａに配置されているアンテナ２の方が放射効率がよい。
【００２２】
通信要求が、音声通話であった場合（ステップＳ３０２のＮ）、マイク１３およびスピーカ１４をＯＮとし、音声信号の入出力が可能な状態にし、信号処理部１２に対して入出力経路をマイク１３・スピーカ１４側（音声通話時の経路）とするように指令する（ステップＳ３０３）。また、送信部６、受信部７、変調部８、復調部９に対して通信動作の起動制御を行う（ステップＳ３０４、３０５）。これにより、マイク１３に入力される音声の送信信号が送信部６から出力されるようになる。次に、アンテナスイッチ４に対して音声通話モードに適するアンテナ３を選択するように指令する（ステップＳ３０６）。これにより、送信部６から出力される送信信号はアンテナスイッチ４を経由してアンテナ３に供給されることになり、送信信号がアンテナ３から空中に放射される（音声通話用アンテナ選択ステップ）。音声通話の場合は、スピーカ１４が耳に押し付けられ、マイク１３が口のあたりにくるので、操作者から離れているアンテナ３のほうが放射効率がよい。
【００２３】
以上により、データ通信時の送信アンテナと音声通話時の送信アンテナとを別のアンテナとすることができるようになる。
【００２４】
なお、アンテナとしては、図１に示すアンテナ２、３を対象に説明したが、第２の実施形態で示す図４における複数種類で複数台のアンテナを対象にできることはいうまでもない。
【００２５】
＜第２の実施形態＞図４は、第２の実施形態における複数種類で複数台のアンテナの配置図である。筐体上部１ａにおいては、上面１ｃに突き出しアンテナ２ａ、上面１ｃ付近に低姿勢アンテナ２ｂ、側面１ｄに低姿勢アンテナ２ｃ、側面１ｅに低姿勢アンテナ２ｄ、背面１ｇに平面アンテナ２ｅがそれぞれ配置されている。筐体下部１ｂにおいては、下面１ｆに低姿勢アンテナ３ａ、側面１ｄに低姿勢アンテナ３ｂ、側面１ｅに低姿勢アンテナ３ｃ、背面１ｈに平面アンテナ３ｄがそれぞれ配置されている。
【００２６】
突き出しアンテナ２ａは、筐体の外部に向かってエレメントが飛び出しているアンテナであり、ホイップアンテナ、モノポールアンテナ、ヘリカルアンテナなどを含む。低姿勢アンテナ２ｂ、２ｃ、２ｄ、３ａ、３ｂ、３ｃは、ロープロフィールアンテナとも称され、筐体に這わせるように配置される配置特性を有し、逆Ｆアンテナ、線状アンテナ、細長い板状アンテナなどを含む。平面アンテナ２ｅ、３ｄは、低姿勢ではあるが他のアンテナに比して放射エレメントが面積を有して筐体の平面部分に配置される配置特性を有し、方形板状のパッチアンテナ、円形板状のパッチアンテナなどを含む。
【００２７】
これら３種類のアンテナ（突き出しアンテナ、低姿勢アンテナ、平面アンテナ）は、形状の相違から配置の仕方である配置特性が異なり、さらに、同一種類のアンテナであっても上面１ｃや側面１ｄ、１ｅなど配置される場所によって放射特性が異なってくる。従って、これら３種類のアンテナは、配置前においてはアンテナの種類によって配置特性及び放射特性が異なり、配置後においては同一種類のアンテナであっても異なる放射特性を示す。
【００２８】
次に、操作者の体勢について説明する。通信モードがデータ通信時には、操作者が左手で筐体下部１ｂを握って操作する体勢とし、通信モードが音声通話時では左手で筐体上部１ａと筐体下部１ｂとが接合する付近を握りスピーカ１４を左耳に押し付ける体勢とする。
【００２９】
次に、図５に示す第２の実施形態のフローチャートを参照して動作を説明する。以下の説明では、配置前においては同一の配置特性及び放射特性有す低姿勢アンテナ２ｃ、３ｃが配置されて、異なる放射特性を示すものとする。低姿勢アンテナ２ｃ、３ｃで受信している受信レベルの状態を、制御部１０にて分析し、どちらの低姿勢アンテナの方が有効な状態にあるかを判断し、送信するアンテナの選択を行うものである。
【００３０】
まず、送信要求を発生し（ステップＳ５０１）、通信モードにおける低姿勢アンテナ２ｃの受信レベルを測定し（ステップＳ５０２）、さらに通信モードにおける低姿勢アンテナ３ｃの受信レベルを測定する（ステップＳ５０３）。低姿勢アンテナ２ｃの受信レベルがアンテナ３ｃの受信レベルより大きいかを比較する（ステップＳ５０４）。
【００３１】
通信モードが音声通話であれば、スピーカ１４が左耳に押し付けられているので、低姿勢アンテナ２ｃは左耳の近傍にあり、放射が操作者に遮られる可能性が大きい。一方、低姿勢アンテナ３ｃは低姿勢アンテナ２ｃに比較して放射が操作者によって遮られことが少ない。従って、低姿勢アンテナ２ｃの受信レベルが低姿勢アンテナ３ｃの受信レベルより小さくなり、送信アンテナとして低姿勢アンテナ３ｃを選択（ステップＳ５０５）して送信する。
【００３２】
通信モードがデータ通信であれば、低姿勢アンテナ２ｃは操作者から離れており操作者に遮られる放射量が少ない。これに対して、低姿勢アンテナ３ｃは左手で握られるので操作者に遮られる量が多い。従って、低姿勢アンテナ２ｃの受信レベルが低姿勢アンテナ３ｃの受信レベルより大きくなり、送信アンテナとして低姿勢アンテナ２ｃを選択（ステップＳ５０７）して送信する。
【００３３】
以上、通信モードに対応して、低姿勢アンテナ２ｃまたは低姿勢アンテナ３ｃが選択されることを説明したが、低姿勢アンテナ２ｃに代えて平面アンテナ２ｅであっても図５のフローチャートが適用できる。さらに、操作者の体勢および携帯電話機１の把持部分を考慮すれば図４に示す全てのアンテナを通信モードにおける選択対象にすることが可能である。
【００３４】
＜第３の実施形態＞通信モードに応じて操作者が携帯電話機１のどの部分を把持するのか、操作者がどのような体勢で携帯電話機１を取り扱うのかによって、図１、図４に配置されている複数台のアンテナの放射効率が異なり、通信モードを加味して放射効率のよいアンテナを選択して回線品質を向上させることが必要である。第３の実施形態では複数台のアンテナを順次送受信共用にしてアンテナからの送信信号の反射レベルを測定することで最適な送信アンテナを選択するものである。
【００３５】
図２を参照して第３の実施形態を説明する。ここでは、複数台のアンテナとしてアンテナ２、３（図１に示す）を取り上げる。この際、送信部６に受信部７が受信する周波数を発振する受信周波数発信部を備えるか、または、受信部７に送信信号の周波数を検波する送信周波数検波部を備え、送信部６からの送信信号がアンテナ２又はアンテナ３で反射され、受信部７で反射レベルを測定できるような反射レベル測定系を形成しておく。
【００３６】
アンテナスイッチ４、５をそれぞれ端子ａ、端子ｄに接続し、通信モードにおけるアンテナ２を送受信共用状態にする。送信部６からの送信信号はアンテナ２で反射され、受信部７で反射レベルとして測定される。この反射レベルの測定値を反射レベル測定値ａとする。次に、アンテナスイッチ４、５をそれぞれ端子ｂ、端子ｃに接続し、通信モードにおけるアンテナ３を送受信共用状態にする。送信部６からの送信信号はアンテナ３で反射され、受信部７で反射レベルとして測定される。この反射レベルの測定値を反射レベル測定値ｂとする。
【００３７】
反射レベル測定値ａ≦反射レベル測定値ｂであればアンテナ２からの反射レベルが少ないので、アンテナ２を選択する。この場合、アンテナ２は操作者に把持されることなく比較的良好な環境にあるものと判断される。反射レベル測定値ｂ≦反射レベル測定値ａであればアンテナ３からの反射レベルが少ないので、アンテナ３を選択する。この場合、アンテナ３は操作者に把持されることなく比較的良好な環境にあるものと判断される。
【００３８】
アンテナ２又はアンテナ３が選択されたら、反射レベル測定系を解除し、送信部６からの送信信号をアンテナ２又はアンテナ３から空間に放射し、アンテナ２又はアンテナ３で受信した受信信号を受信部７で受信する。
【００３９】
＜第４の実施形態＞第４の実施形態では、図１に示す携帯電話機１にデータ通信機器（図示しない）を接続してデータ通信を行う場合に、データ通信機器が接続されたこと、およびデータ通信であることを判別することにより、送信アンテナの選択を行う。以下、図１及び図６のフローチャートを参照して説明する。
【００４０】
通話開始要求を発生し、データ通信機器が有るか無いかを判別する（ステップＳ６０１、Ｓ６０２（データ通信機器有無判別ステップ））。データ通信機器が無い場合（ステップＳ６０２のＮ）は音声通話モードとなり、信号処理部１２の入出力経路をマイク１３、スピーカ１４側にする（ステップＳ６０４）。次に、変調部８・送信部６を起動し（ステップＳ６０５）、続いて復調部９・受信部７を起動する（ステップＳ６０６）。（以上、音声通話入出力経路設定ステップとする。）アンテナスイッチ４を音声通話モードに適するアンテナ３側に設定する（ステップＳ６０７）。
【００４１】
データ通信機器が有る場合（ステップＳ６０２のＹ）、通信モードがデータ通信かを判別（例えば、操作部１１において押下された操作ボタンの種類等で制御部１０が判別する）し（ステップＳ６０３）、音声通話の場合（ステップＳ６０３のＮ）は、データ通信機器が無い場合と同様の音声通話入出力経路設定ステップを実行する。
【００４２】
通信モードがデータ通信の場合（ステップＳ６０３のＹ）、信号処理部１２の入出力経路を通信処理部１５側にする（ステップＳ６０８）。次に、変調部８・送信部６を起動し（ステップＳ６０９）、続いて復調部９・受信部７を起動する（ステップＳ６１０）。（以上、データ通信入出力経路設定ステップとする。）アンテナスイッチ４をデータ通信モードに適するアンテナ２側に設定する（ステップＳ６１１）。
【００４３】
以上、第１〜第４の実施形態では、アンテナを２台として説明したが、これに限定されるものではなく、ｎ台（ｎ≧３の整数）以上でもよく、この場合にはアンテナスイッチ４、５としてそれぞれ単極ｎ投のスイッチを採用する。
【００４４】
【発明の効果】
第１の効果は、通信モードによって、配置されているアンテナを選択しているので、放射特性上有利になるということである。データ通信モードで使用する場合、操作者が筐体下部を手で握る形となり筐体上部の周囲は障害物が少ない状況になる。このとき、携帯電話機の送受信アンテナが筐体上部に割り当てられることで放射特性上有利になる。これに対し、音声通話モードで使用する場合、受話部が耳に当てられるため、筐体上部が操作者に密着することになり、筐体下部は操作者から離れる状況になる。このため、送受信アンテナが筐体下部に配置される方が放射特性上有利になる。
【００４５】
第２の効果は、異なる放射特性を有する複数台のアンテナを配置し、通信モードにおけるアンテナの受信レベルを測定して、通信モードの種類に適したアンテナを選択するので、操作者から離れた環境条件の良い状態で送信できることである。
【００４６】
第３の効果は、送受信共用状態にしたアンテナからの反射レベルが通信モードによって異なることを利用してアンテナを切替えるので、操作者から離れた環境条件の良い状態下のアンテナを選択して送信を行えるようになり通信品質を向上させることができることである。
【００４７】
第４の効果は、携帯電話機にデータ通信機器が接続されているか否かによって、通信モードの種類を判別して送受信アンテナとしての機能を備えるアンテナを切替えるので、操作者から離れた環境条件の良い状態のアンテナで送信を行えるようになり通信品質を向上させることができることである。
【図面の簡単な説明】
【図１】本発明の携帯電話機の外観図である。
【図２】本発明の携帯電話機のブロック図である。
【図３】第１の実施形態のフローチャートである。
【図４】第２の実施形態のアンテナの配置図である。（ａ）は正面図、（ｂ）は側面図である。
【図５】第２の実施形態のフローチャートである。
【図６】第４の実施形態のフローチャートである。
【符号の説明】
１    携帯電話機
１ａ    筐体上部
１ｂ    筐体下部
１ｃ    上面
１ｄ、１ｅ    側面
１ｆ    下面
１ｇ、１ｈ    背面
２    アンテナ
２ａ    突き出しアンテナ
２ｂ、２ｃ、２ｄ    低姿勢アンテナ
２ｅ    平面アンテナ
３    アンテナ
３ａ、３ｂ、３ｃ    低姿勢アンテナ
３ｄ    平面アンテナ
４、５    アンテナスイッチ
６    送信部
７    受信部
８    変調部
９    復調部
１０    制御部
１１    操作部
１２    信号処理部
１３    マイク
１４    スピーカ
１５    通信処理部
【図１】
2004241887.tif 000003
【図２】
2004241887.tif 000004
【図３】
2004241887.tif 000005
【図４】
2004241887.tif 000006
【図５】
2004241887.tif 000007
【図６】
2004241887.tif 000008